(57)【要約】      （修正有）【課題】占いカードセットに関し、カードに印刷等で表示された既設の表示内容からは予測できない占い結果が得られ、それによって従来の占いカードでは予期できない斬新な興趣をもたらすことのできる占いカードを提供する。【解決手段】占いの種類に関連して予め表示された図柄等からなる既設表示部１３と、該既設表示部１３に表示された図柄等とは別に、水等の現出手段により裏面側から表面側に新たな図柄や文字等を現出させる現出表示部１４とが設けられたカードユニット２ａが複数枚具備され、且つ該複数枚のカードユニット２ａのうち、少なくとも２以上のカードユニットの既設表示部１３には、同じ占いの種類に統一されてはいるが異なる図柄等が表示され、少なくとも２以上のカードユニットの現出表示部１４には、同じ占いの種類に統一されてはいるが異なる図柄、文字等が現出されるように構成されている。【選択図】図５
0003107114.tif 000002
【実用新案登録請求の範囲】
【請求項１】
占いの種類に関連して予め表示された図柄等からなる既設表示部（１３）と、該既設表示部（１３）に表示された図柄等とは別に、水等の現出手段により裏面側から表面側に新たな図柄や文字等を現出させる現出表示部（１４）とが設けられたカードユニットが複数枚具備され、且つ該複数枚のカードユニットのうち、少なくとも２以上のカードユニットの既設表示部（１３）には、同じ占いの種類に統一されてはいるが異なる図柄等が表示され、少なくとも２以上のカードユニットの現出表示部（１４）には、同じ占いの種類に統一されてはいるが異なる図柄、文字等が現出されるように構成されていることを特徴とする占いカードセット。
【請求項２】
水等の現出手段によりカードユニットの裏面側から表面側に現出される文字等の表示が、複数枚のカードユニットですべて異なるように構成されている請求項１記載の占いカードセット。
【請求項３】
使用者側で記入する質問事項等の記入欄がカードユニットに設けられている請求項１又は２記載の占いカードセット。
【請求項４】
水等の現出手段によりカードユニットの裏面側から表面側に現出される文字等の表示が、使用者側で記入する記入欄に記入される事項の回答として表示されうるように構成されている請求項３記載の占いカードセット。
【請求項５】
既設表示部（１３）に予め表示された図柄等と、現出表示部（１４）に新たに現出される図柄等とが合体して１つの完成された図柄等が形成されるように構成されている請求項１乃至４のいずれかに記載の占いカードセット。
【請求項６】
カードユニットの裏面側に水を接触させることにより、現出表示部（１４）に図柄、文字等を現出させることができるインキが、前記カードユニットの裏面側に設けられている請求項１乃至５のいずれかに記載の占いカードセット。
【請求項７】
現出表示部（１４）に図柄、文字等を現出させることができるインキが、炭酸カルシウム、二酸化ケイ素を含有する体質顔料と、ロジン変性フェノール樹脂、アルキッド樹脂を含有するインキ用樹脂と、植物油と、鉱油とからなる請求項６記載の占いカードセット。
【請求項８】
複数枚のカードユニットとは別に、該複数枚のカードユニットを収納することのできるホルダー（１）が具備されている請求項１乃至７のいずれかに記載の占いカードセット。
【請求項９】
ホルダー（１）が、表片（３）と、該表片（３）に連設部（７）を介して連設された裏片（４）と、該裏片（４）に連設部（８）を介して連設されてカードユニット２を収納する部分となるポケットを形成するためのポケット形成片（５）とで構成されている請求項８記載の占いカードセット。
【考案の詳細な説明】
【技術分野】
【０００１】
本考案は、占いカードセットに関する。
【背景技術】
【０００２】
従来から、占いカードとしては、おみくじや、玩具，菓子等のおまけとして添付されたようなものがあり、予め印刷された占いの内容を読んで自分の運勢を確認し、或いは自分の生年月日、星座、血液型等に対応した内容を選択して運勢を占っている。
【０００３】
しかし、たとえばおみくじによる占いでは、おみくじを引くタイミングにより運勢が決定されるので、興趣に欠けることとなる。また、生年月日、星座、血液型等に対応した内容を選択する場合も、生年月日、星座、血液型等によって運勢が制限されるので、やはり興趣に欠けることとなる。そこで、新たな興趣をもたらすために、占いカードに関して下記特許文献１及び特許文献２のような実用新案登録出願もなされている。
【０００４】
【特許文献１】実開平５−３３７７７号公報
【特許文献２】実開平６−４１７８４号公報
【０００５】
特許文献１に係る考案は、タロットカードの改良としてなされたもので、従来のタロットカードによる占い遊びは、二者択一のデジタル的な占い結果にとどまるものであったことから、カードの向きに応じてアナログ的な中間の占い結果が求められるようにした占いカードを提供するものである。一方、特許文献２に係る考案は、特に人相占いカードに関するもので、人相を見ながら同時に一人占いができ、鏡を必要とせず、また１枚のカードで多くの人の異なった占い内容を知り、見る人の興味を引き、懐中鏡としても利用できるような占いカードを提供するものである。
【０００６】
このように、占いカードとして従来から種々のものがあり、あるいは出願されているが、いずれも、そのカードに予め印刷等により表示された表示内容に基づいて占いを行なうものであり、運勢等も、既設の印刷等で表示された事項の範囲内で占いの結果が出されるので、使用者に興趣をもたらすにしても自ずから限界がある。
【考案の開示】
【考案が解決しようとする課題】
【０００７】
本考案は、このような点に鑑みてなされたもので、カードに印刷等で表示された既設の表示内容からは予測できない占い結果が得られ、それによって従来の占いカードでは予期できない斬新な興趣をもたらすことのできる占いカードを提供とすることを課題とする。
【課題を解決するための手段】
【０００８】
本考案は、このような課題を解決するためになされたもので、請求項１記載の考案は、占いの種類に関連して予め表示された図柄等からなる既設表示部１３と、該既設表示部１３に表示された図柄等とは別に、水等の現出手段により裏面側から表面側に新たな図柄や文字等を現出させる現出表示部１４とが設けられたカードユニットが複数枚具備され、且つ該複数枚のカードユニットのうち、少なくとも２以上のカードユニットの既設表示部１３には、同じ占いの種類に統一されてはいるが異なる図柄等が表示され、少なくとも２以上のカードユニットの現出表示部１４には、同じ占いの種類に統一されてはいるが異なる図柄、文字等が現出されるように構成されていることを特徴とする。
【０００９】
また、請求項２記載の考案は、請求項１記載の占いカードセットにおいて、水等の現出手段によりカードユニットの裏面側から表面側に現出される文字等の表示が、複数枚のカードユニットですべて異なるように構成されていることを特徴とする。さらに請求項３記載の考案は、請求項１又は２記載の占いカードセットにおいて、使用者側で記入する質問事項等の記入欄がカードユニットに設けられていることを特徴とする。さらに、請求項４記載の考案は、請求項３記載の占いカードセットにおいて、水等の現出手段によりカードユニットの裏面側から表面側に現出される文字等の表示が、使用者側で記入する記入欄に記入される事項の回答として表示されうるように構成されていることを特徴とする。さらに、請求項５記載の考案は、請求項１乃至４のいずれかに記載の占いカードセットにおいて、既設表示部１３に予め表示された図柄等と、現出表示部１４に新たに現出される図柄等とが合体して１つの完成された図柄等が形成されるように構成されていることを特徴とする。
【００１０】
さらに、請求項６記載の考案は、請求項１乃至５のいずれかに記載の占いカードセットにおいて、カードユニットの裏面側に水を接触させることにより、現出表示部１４に図柄、文字等を現出させることができるインキが、前記カードユニットの裏面側に設けられていることを特徴とする。さらに、請求項７記載の考案は、請求項６記載の占いカードセットにおいて、現出表示部１４に図柄、文字等を現出させることができるインキが、炭酸カルシウム、二酸化ケイ素を含有する体質顔料と、ロジン変性フェノール樹脂、アルキッド樹脂を含有するインキ用樹脂と、植物油と、鉱油とからなることを特徴とする。さらに、請求項８記載の考案は、請求項１乃至７のいずれかに記載の占いカードセットにおいて、複数枚のカードユニットとは別に、該複数枚のカードユニットを収納することのできるホルダー１が具備されていることを特徴とする。さらに、請求項９記載の考案は、請求項８記載の占いカードセットにおいて、ホルダー１が、表片３と、該表片３に連設部７を介して連設された裏片４と、該裏片４に連設部８を介して連設されてカードユニット２を収納する部分となるポケットを形成するためのポケット形成片５とで構成されていることを特徴とする。
【考案の効果】
【００１１】
本考案は、上記のように、複数枚具備されたカードユニットの表面側に、占いの種類に関連して予め表示された図柄等からなる既設表示部が設けられているだけでなく、水等の現出手段により裏面側から表面側に新たに図柄や文字等を現出される現出表示部が設けられているため、このような占いカードセットを購入した使用者は、購入後にカードユニットに対して水等の現出手段を付与することで、購入前には表示されていなかった図柄や文字等が現出表示部に現出されることになるため、使用者に予期できない興趣をもたらすことができるという効果がある。
【００１２】
特に、既設表示部に予め表示されている図柄等と、現出表示部において新たに現出される図柄等が合体して、それぞれの元の図柄等とは異なる、完成された新たな図柄等が現出されるように構成した場合には、より一層斬新な興趣をもたらすことができる。
【００１３】
また、複数枚のカードユニットには、同じ占いの種類に統一されてはいるが、異なる図柄等が表示された既設表示部、及び異なる図柄、文字等が現出されるように構成された現出表示部が設けられているため、使用者は、たとえばトランプカード占い、あみだくじの占い、その他、各種の絵柄に関連する占いを、同種の占いについて異なる運勢の結果が得られるような占い遊びを、複数枚カードユニットを用いながら一人で楽しむことができるので、従来の占いカードでは得ることのできない斬新な興趣をもたらすことが可能となる。
【００１４】
さらに、水等の現出手段により裏面側から表面側に現出される文字等の表示が、使用者側で記入する記入欄に記入される事項の回答として表示されうるように構成されている場合には、悩みごとに対する回答を得たようなイメージを使用者に付与することができ、この場合にも従来の占いカードでは得ることのできない斬新な興趣をもたらすことができる。
【００１５】
複数枚のカードユニットとは別に、該複数枚のカードユニットを収納することのできるホルダーが具備されている場合には、使用者が複数枚のカードユニットを選択してホルダーから抜き出す等の取り扱いが容易となる利点がある。
【考案を実施するための最良の形態】
【００１６】
以下、本考案の実施形態について、図面に従って説明する。
(実施形態１）
本実施形態の占いカードセットは、図１乃至図４に示すようなホルダー１と、図５乃至９に示すようなカードユニット２とからなる。この占いカードセットに具備されたカバー体１は１個であるが、カードユニット２は複数枚具備されている。本実施形態では、計３６枚のカードユニット２が具備されている。そして、この計３６枚のカードユニット２が前記ホルダー１に収納されて、前記占いカードセットが構成されている。ホルダー１は、展開図である図３に良く示されているように、表片３と、裏片４と、前記カードユニット２を収納する部分となるポケットを形成するためのポケット形成片５とで構成されている。表片３と裏片４は、連設部７を介して連設されており、裏片４とポケット形成片５は、連設部８を介して連設されている。
【００１７】
このホルダー１は、図１に示すように全体がカラー印刷されているとともに、部分的に金箔粉で表示され、表片３の正面側に「水占い」の文字が表示されている。そして「水占い」の側部には、図２及び図３に示すように、占いのテーマとなる文言が記載された占いテーマ表示部６が表示されている。尚、図２は、図１におけるカラー印刷部分を除外して、金箔粉で表示された部分のみを表示している。本実施形態では、占いテーマ表示部６は「カードが教える」と表示されている。この「カードが教える」の「カード」とは、トランプカードを意味し、従って、「カードが教える」とは、本実施形態における占いのテーマ（占いの内容）がトランプをイメージした占いであることを意味する。
【００１８】
また、裏片４の上下両縁には、差込片９，９が上下に突設されている。さらに、ポケット形成片５の所定位置は、図３の一点鎖線に示すように折曲部１０として形成され、またポケット形成片５の連設部８に近い上下の部分には、切込１１，１１が形成されている。そして、この切込１１，１１に差し込み可能な差込部１８、１８が、前記表片３に形成され、該差込部１８、１８を切込１１，１１に差し込むことによって、表片３によるポケットの閉塞状態を維持することができる。
【００１９】
そして、ポケット形成片５が折曲部１０を介して折り曲げられ、且つその折り曲げられた部分に裏片４の差込片９，９が差し込まれることによって、図４に示すようにポケット１２が形成されることになる。そして、ポケット１２を形成するポケット形成片５の裏面側には、前記占いテーマ表示部６の具体的内容が記載されている。具体的内容とは、図４に示すように、「カード占い：トランプの数字で占う方法です。占う時の時期・場所・思いなど、様々な要素が絡んで答えが導かれます。」と記載されている。
【００２０】
さらに、表片３の裏面側には、図４に示すように、占いカードセットの使用方法が、占いに没頭するようなイメージを使用者に暗示させるような表現を伴って記載されている。具体的には、次の通りである。
１．深呼吸して気持ちを静めます。
２．あなたの悩みは何ですか。イエスかノーかで答えられるような質問にして下さい。
３．目を閉じて１枚選びます。その質問を書いて下さい。そっと水に浮かべます。
４．しばらくすると文字が浮かび上がってきます。それが質問に対する答えです。
５．あなたに必要なことを語りかけているメッセージ、あなたはどのように受け止めます  か。あいまいな気持ちで占うと不明瞭な答えになってしまいます。
【００２１】
次に、上記のようなホルダー１に収納されるカードユニット２ａ，２ｂ，…の構成を図５乃至図９に示す。本実施形態では、上述のように計３６枚のカードユニット２ａ，２ｂ，…がホルダー１に収納されているが、図５及び図６には、例示として２枚のカードユニット２ａ，２ｂを示している。
【００２２】
それぞれのカードユニット２ａ，２ｂの表面側には、複数枚のトランプを重ねた状態のトランプ裏面側の絵柄を表示した既設表示部１３と、１枚のトランプを空白の状態で示し、後に所望のトランプ表面の数字，マークを伴う図柄が現出されるように構成された現出表示部１４とが設けられている。また、前記既設表示部１３や現出表示部１４の上部には、使用者が悩みを質問事項として記入する質問事項記入欄１５が設けられている。さらに、その質問事項記入欄１５の上部には、「水占いのカミに聞きたいコトは何ですか。」の文言が記載されている。
【００２３】
さらに、カードユニット２ａ，２ｂの裏面側には、図示しないが、水を付着させることによって、図７乃至図９に示すように、前記表面側の現出表示部１４に所望のトランプのマーク１６が現出され、さらに現出表示部１４の下部に、文字１７が現出されるように、現出用インキが印刷によって塗着されている。
【００２４】
この現出用インキの組成は次のとおりである。
成分                        配合比（重量％）
体質顔料                      １５〜２０％
インキ用樹脂                  ２０〜２５％
植物油                        ２５〜３０％
鉱油                          １５〜２０％
界面活性剤                    １０〜１５％
ここで、体質顔料には炭酸カルシウム、二酸化ケイ素が含有され、インキ用樹脂にはロジン変性フェノール樹脂、アルキッド樹脂が含有されている。また植物油としては、大豆油やオリーブ油等を用いることができる。さらに、鉱油としては、高沸点石油系溶剤が用いられる。また界面活性剤としては、アルキルフェニルエーテルやジアルキルスルホコハク酸等が用いられる。
【００２５】
本実施形態の占いカードセットを使用する場合には、上記表片３の裏面側に記載された使用方法に則して使用される。すなわち、この占いカードセットを購入した使用者は、先ず、ホルダー１の表片３を開いて計３６枚のカードユニット２ａ，２ｂ，…のうちから、１枚のカードユニットを選択して抜き取る。
【００２６】
そして、そのカードユニットの質問事項記入欄１５に、自分悩みごとを、イエスかノーで答えられる質問形式にして記入する。次に、質問事項記入欄１５に所定の質問事項が記入されたカードユニットを、予め準備された容器に収容された水に浮かべる。この場合、水を塗布具でカードユニットに塗布するような方法で塗着させてもよい。  
【００２７】
このようにカードユニットを水に浸漬し、或いは塗布することによって、上記のようにカードユニット表面側の現出表示部１４に所望のトランプのマーク１６が現出され、さらに現出表示部１４の下部に、所望の文字１７が現出されることとなる。具体的には、カードユニット２ａの表面側の現出表示部１４にはハートのエースが現出され、文字１７としては、「ハートのエースがでました。もう答えが出てるはず。素直になりなさい。」の文字が現出される。
【００２８】
また、カードユニット２ｂの表面側の現出表示部１４にはハートの３が現出され、文字１７としては、「ハートの３を引きました。十分調べて用心しなさい。今のままでは危険です。」の文字が現出される。さらに、カードユニット２ｃの表面側の現出表示部１４にはハートの８が現出され、文字１７としては、「ハートの８はもうスタートラインにいるという意味です。」の文字が現出される。
【００２９】
この３種類のカードユニット以外のカードユニットにもそれぞれ別々の図柄や文字が現出されることとなる。つまり、計３６枚のカードユニットは、すべて異なる図柄や文字が現出されるように構成されている。従って、使用者は、３６枚のカードユニットの中から１枚のカードユニットを選択し、それを水に浮かべて現出表示部１４にトランプの図柄を表示させるとともに、質問に対する文字表示の回答として表示させることで、既設表示部１３には表示されていなかった未表示の３６通りの異なる回答を得ることができるので、従来の占いカードでは決して得られなかった斬新な興趣をもたらすことが可能となった。      
【００３０】
（実施形態２）
本実施形態では、図１０に示すように、ホルダー１の占いテーマ表示部６には「銀河が示す」と表示されている。この「銀河が示す」とは、占星術の１つである、いわゆる銀河占いを意味するものである。
【００３１】
本実施形態においても計３６枚のカードユニットがホルダー１に収納されているが、図１１乃至図１５に例示するカードユニット２ａ，２ｂ，２ｃには、鏡の絵柄を表示した既設表示部１３と、鏡面を空白の状態で示し、後に所望の図柄が現出されるように構成された現出表示部１４とが設けられている。
【００３２】
その他のホルダー１の構成やカードユニットの構成は、上記実施形態と同じであるため、その説明は省略する。
【００３３】
本実施形態の占いカードセットを使用する場合にも、上記実施形態１と同様に、カードユニットを水に浸漬等することによって、カードユニット表面側の現出表示部１４に所望の図柄を現出させ、さらに所望の文字１７を現出させることができる。
現出される図柄や文字は、図１３乃至図１５に示すとおりである。
【００３４】
本実施形態においても、使用者は、３６枚のカードユニットの中から１枚のカードユニットを選択し、それを水に浮かべて現出表示部１４に所望の図柄を表示させるとともに、質問に対する文字表示の回答として表示させることで、既設表示部１３には表示されていなかった未表示の３６通りの異なる回答を得ることができるので、従来の占いカードでは決して得られなかった斬新な興趣をもたらすことができる。
【００３５】
（実施形態３）
本実施形態では、図１６に示すように、ホルダー１の占いテーマ表示部６には「はちみつが示す」と表示されている。
【００３６】
本実施形態においても計３６枚のカードユニットがホルダー１に収納されているが、図１７乃至図２１に例示するカードユニット２ａ，２ｂ，２ｃには、蜂の巣やはちみつのつぼの絵柄を表示した既設表示部１３と、その下部の空白部分であって、後に所望の図柄が現出されるように構成された現出表示部１４とが設けられている。
【００３７】
その他のホルダー１の構成やカードユニットの構成は、上記実施形態と同じであるため、その説明は省略する。
【００３８】
本実施形態の占いカードセットを使用する場合にも、上記実施形態１、２と同様に、カードユニットを水に浸漬等することによって、カードユニット表面側の現出表示部１４に所望の図柄を現出させ、さらに所望の文字を現出させることができる。現出される図柄や文字は、図１９乃至図２１に示すとおりである。
【００３９】
本実施形態においても、使用者は、３６枚のカードユニットの中から１枚のカードユニットを選択し、それを水に浮かべて現出表示部１４に所望の図柄を表示させるとともに、質問に対する文字表示の回答として表示させることで、既設表示部１３には表示されていなかった未表示の３６通りの異なる回答を得ることができるので、従来の占いカードでは決して得られなかった斬新な興趣をもたらすことができる。
【００４０】
（実施形態４）
本実施形態では、図２２に示すように、ホルダー１の占いテーマ表示部６には「あみだくじが示す」と表示されている。
【００４１】
本実施形態においても計３６枚のカードユニットがホルダー１に収納されているが、図２３及び図２４に例示するカードユニット２には、あみだくじの絵柄を表示した既設表示部１３と、追加的にあみだくじの絵柄が現出されて既設のあみだくじの絵柄と合体するように構成された現出表示部１４とが設けられている。
【００４２】
その他のホルダー１の構成やカードユニットの構成は、上記実施形態と同じであるため、その説明は省略する。
【００４３】
本実施形態の占いカードセットを使用する場合にも、上記実施形態１乃至３と同様に、カードユニットを水に浸漬等することによって、カードユニット表面側の現出表示部１４に所望の図柄を現出させ、さらに所望の文字１７を現出させることができる。現出される図柄や文字は、図２４に示すとおりである。
【００４４】
本実施形態においても、使用者は、３６枚のカードユニットの中から１枚のカードユニットを選択し、それを水に浮かべて現出表示部１４に所望の図柄を表示させるとともに、質問に対する文字表示の回答として表示させることで、既設表示部１３には表示されていなかった未表示の３６通りの異なる回答を得ることができるので、従来の占いカードでは決して得られなかった斬新な興趣をもたらすことができる。特に本実施形態では、既設表示部１３のあみだくじの絵柄に、現出表示部１４に新たに現出されるあみだくじの絵柄が連結されるように表示されるので、合体される新たな絵柄が、使用者に特殊な興趣を付与することとなる。
【００４５】
(実施形態５）
本実施形態では、図２５に示すように、ホルダー１の占いテーマ表示部６には「シード（種）が教える」と表示されている。
【００４６】
本実施形態においても計３６枚のカードユニットがホルダー１に収納されているが、図２６及び図２７に例示するカードユニット２には、植木鉢の絵柄を表示した既設表示部１３と、その植木鉢に植生されるような草花の絵柄が現出されて既設の絵柄と合体するように構成された現出表示部１４とが設けられている。
【００４７】
その他のホルダー１の構成やカードユニットの構成は、上記実施形態と同じであるため、その説明は省略する。
【００４８】
本実施形態の占いカードセットを使用する場合にも、上記実施形態１乃至４と同様に、カードユニットを水に浸漬等することによって、カードユニット表面側の現出表示部１４に所望の図柄を現出させ、さらに所望の文字１７を現出させることができる。現出される図柄や文字は、図２７に示すとおりである。
【００４９】
本実施形態においても、使用者は、３６枚のカードユニットの中から１枚のカードユニットを選択し、それを水に浮かべて現出表示部１４に所望の図柄を表示させるとともに、質問に対する文字表示の回答として表示させることで、既設表示部１３には表示されていなかった未表示の３６通りの異なる回答を得ることができるので、従来の占いカードでは決して得られなかった斬新な興趣をもたらすことができる。特に本実施形態では、既設表示部１３の植木鉢の絵柄に、現出表示部１４に新たに現出される草花の絵柄が合体されるように表示されるので、完成した新たな絵柄が、使用者に斬新な興趣を付与することとなる。
【００５０】
(実施形態６）
本実施形態では、図２８に示すように、ホルダー１の占いテーマ表示部６には「水晶球が教える」と表示されている。
【００５１】
本実施形態においても計３６枚のカードユニットがホルダー１に収納されているが、図２９及び図３０に例示するカードユニット２には、水晶球の受部の絵柄を表示した既設表示部１３と、その受部に保持される水晶球の空白部に所望の絵柄が現出されるように構成された現出表示部１４とが設けられている。
【００５２】
その他のホルダー１の構成やカードユニットの構成は、上記実施形態と同じであるため、その説明は省略する。
【００５３】
本実施形態の占いカードセットを使用する場合にも、上記実施形態１乃至５と同様に、カードユニットを水に浸漬等することによって、カードユニット表面側の現出表示部１４に所望の図柄を現出させ、さらに所望の文字を現出させることができる。現出される図柄や文字は、図３０に示すとおりである。
【００５４】
本実施形態においても、使用者は、３６枚のカードユニットの中から１枚のカードユニットを選択し、それを水に浮かべて現出表示部１４に所望の図柄を表示させるとともに、質問に対する文字表示の回答として表示させることで、既設表示部１３には表示されていなかった未表示の３６通りの異なる回答を得ることができるので、従来の占いカードでは決して得られなかった斬新な興趣をもたらすことができる。
【００５５】
（その他の実施形態）
尚、上記実施形態では、カードユニット２に質問事項を記入する質問事項記入欄１５が設けられ、それに対する回答が文字１７として現出されるように構成されていたが、このような記入欄を設けて文字を記入するように構成することは本考案に必須に事項ではなく、たとえば図３１に示すように、カードユニット２にグー・チョキ・パーの３種類の記号を表示した選択表示欄２０を設け、その３種類の記号に図３２に示すように○印２１を付すことができるように構成することも可能である。
【００５６】
この場合には、文字で質問事項を記入するわけではないが、○印２１を付すことで、使用者の質問事項に変えることとしているので、それに応じた回答に相当する事項を現出表示部１４に表示可能とすることができる。
【００５７】
従って、この図３１や図３２のようなカードユニット２は、主として児童向けとして用いられるものである。この場合は、ジャンケンくじとして利用されるものである。
【００５８】
また、図３３や図３４のように、「スピードくじで運だめし」のようなカードユニット２を使用することもできる。
【００５９】
すなわち本考案の「占いカード」とは、上記実施形態１乃至６のような狭義の占いカードの他に、図３１乃至図３４のような児童向け用としての、くじで回答を求めるような「くじ占い」のようなものも含むものである。
【００６０】
さらに、本考案は、上述のように、水を図柄、文字等の現出手段とすることを主眼とするが、水以外の感熱や発色等による手段で裏面側からに表面側に文字、図柄等を現出させる手段も含む。
【産業上の利用可能性】
【００６１】
本考案は、各種の占い用として用いられるカードの他、児童用等のくじ占いのごときカードにも広く適用することができる。
【図面の簡単な説明】
【００６２】
【図１】一実施形態の占いカードセットを構成するホルダーの正面図。
【図２】同ホルダーの表面を、カラー印刷部分を除外して示す正面図。
【図３】ホルダーの展開状態を示す平面図。
【図４】ホルダーの表片を開いた状態の正面図。
【図５】一実施形態のカードユニットの正面図。
【図６】別のカードユニットの正面図。
【図７】カードユニットの現出表示部に図柄、文字が表示された状態の正面図。
【図８】別のカードユニットの現出表示部に図柄、文字が表示された状態の正面図。
【図９】別のカードユニットの現出表示部に図柄、文字が表示された状態の正面図。
【図１０】他実施形態のホルダーの正面図。
【図１１】他実施形態のカードユニットの正面図。
【図１２】他実施形態の別のカードユニットの正面図。
【図１３】他実施形態のカードユニットの現出表示部に図柄、文字が表示された状態の正面図。
【図１４】他実施形態の別のカードユニットの現出表示部に図柄、文字が表示された状態の正面図。
【図１５】他実施形態の別のカードユニットの現出表示部に図柄、文字が表示された状態の正面図。
【図１６】他実施形態のホルダーの正面図。
【図１７】他実施形態のカードユニットの正面図。
【図１８】他実施形態の別のカードユニットの正面図。
【図１９】他実施形態のカードユニットの現出表示部に図柄、文字が表示された状態の正面図。
【図２０】他実施形態の別のカードユニットの現出表示部に図柄、文字が表示された状態の正面図。
【図２１】他実施形態の別のカードユニットの現出表示部に図柄、文字が表示された状態の正面図。
【図２２】他実施形態のホルダーの正面図。
【図２３】他実施形態のカードユニットの正面図。
【図２４】他実施形態のカードユニットの現出表示部に図柄、文字が表示された状態の正面図。
【図２５】他実施形態のホルダーの正面図。
【図２６】他実施形態のカードユニットの正面図。
【図２７】他実施形態のカードユニットの現出表示部に図柄、文字が表示された状態の正面図。
【図２８】他実施形態のホルダーの正面図。
【図２９】他実施形態のカードユニットの正面図。
【図３０】他実施形態のカードユニットの現出表示部に図柄、文字が表示された状態の正面図。
【図３１】他実施形態のカードユニットの正面図。
【図３２】他実施形態のカードユニットの現出表示部に図柄、文字が表示された状態の正面図。
【図３３】他実施形態のカードユニットの正面図。
【図３４】他実施形態のカードユニットの現出表示部に図柄、文字が表示された状態の正面図。
【符号の説明】
【００６３】
１…ホルダー                  ２ａ，２ｂ…カードユニット
１３…既設表示部              １４…現出表示部
【図１】
0003107114.tif 000003
【図２】
0003107114.tif 000004
【図３】
0003107114.tif 000005
【図４】
0003107114.tif 000006
【図５】
0003107114.tif 000007
【図６】
0003107114.tif 000008
【図７】
0003107114.tif 000009
【図８】
0003107114.tif 000010
【図９】
0003107114.tif 000011
【図１０】
0003107114.tif 000012
【図１１】
0003107114.tif 000013
【図１２】
0003107114.tif 000014
【図１３】
0003107114.tif 000015
【図１４】
0003107114.tif 000016
【図１５】
0003107114.tif 000017
【図１６】
0003107114.tif 000018
【図１７】
0003107114.tif 000019
【図１８】
0003107114.tif 000020
【図１９】
0003107114.tif 000021
【図２０】
0003107114.tif 000022
【図２１】
0003107114.tif 000023
【図２２】
0003107114.tif 000024
【図２３】
0003107114.tif 000025
【図２４】
0003107114.tif 000026
【図２５】
0003107114.tif 000027
【図２６】
0003107114.tif 000028
【図２７】
0003107114.tif 000029
【図２８】
0003107114.tif 000030
【図２９】
0003107114.tif 000031
【図３０】
0003107114.tif 000032
【図３１】
0003107114.tif 000033
【図３２】
0003107114.tif 000034
【図３３】
0003107114.tif 000035
【図３４】
0003107114.tif 000036